(57)【特許請求の範囲】
【請求項１】
方法であって、
第１のネットワーク仕様における非制御データの通信のために確保されたリソースによって、アクセス・ポイントから信号を受信することと、
前記リソース内で定義された制御領域に関連する情報を受信することと、ここで、前記情報を受信することは、前記制御領域の多重化スキームを受信することを含む、
前記情報に少なくとも部分的に基づいて、前記リソース内の制御データの位置を決定することと、
前記リソース内の前記位置において受信された前記信号の部分から制御データを復号することと
を備える方法。
【請求項２】
前記情報を受信することは、第２の無線ネットワーク仕様に応じた前記情報を決定することを含む、請求項１に記載の方法。
【請求項３】
前記情報を受信することは、前記アクセス・ポイントから前記情報を受信することを含む、請求項１に記載の方法。
【請求項４】
前記情報を受信することは、前記制御領域の位置を受信することを含む、請求項１に記載の方法。
【請求項５】
前記制御データを復号することは、前記制御領域のうちの１または複数の部分をブラインド復号して、関連する制御データを位置決めすることを含む、請求項４に記載の方法。
【請求項６】
前記情報を受信することは、専用信号で前記情報を受信することを含み、前記情報は、前記制御データのための特定の探索空間または位置を備える、請求項１に記載の方法。
【請求項７】
前記多重化スキームを受信することは、制御チャネルに対応する前記制御データが単一のリソース・ブロックにおいて非制御データと多重化されたことを示す、前記多重化スキームを受信することを含む、請求項１に記載の方法。
【請求項８】
前記多重化スキームを受信することは、前記制御データが前記単一のリソース・ブロックにおいて前記非制御データに先行することを示す、前記多重化スキームを受信することを含む、請求項７に記載の方法。
【請求項９】
前記多重化スキームを受信することは、前記制御データが１または複数のリソース・ブロックにおいて異なる制御データと多重化されたことを示す、前記多重化スキームを受信することを含む、請求項１に記載の方法。
【請求項１０】
前記多重化スキームを受信することは、非制御データがさらに前記１または複数のリソース・ブロックの最後のリソース・ブロックにおいて前記制御データまたは異なる制御データと多重化されたことを示す、前記多重化スキームを受信することを含む、請求項９に記載の方法。
【請求項１１】
前記情報を受信することは、前記制御領域の周波数ホッピング・スキームを受信することを含む、請求項１に記載の方法。
【請求項１２】
前記第１のネットワーク仕様は、第３世代パートナシップ計画（３ＧＰＰ）ロング・ターム・イボリューション（ＬＴＥ）仕様であり、前記リソースが、前記３ＧＰＰ  ＬＴＥ仕様における物理ダウンリンク共有チャネル（ＰＤＳＣＨ）のために確保される、請求項１に記載の方法。
【請求項１３】
無線通信装置であって、
第１のネットワーク仕様における非制御データの通信のために割り当てられたリソースによって、アクセス・ポイントから信号を受信し、
前記リソース内で定義された制御領域に関連する情報を受信し、ここで、前記情報を受信することは、前記制御領域の多重化スキームを受信することを含む、
異なるネットワーク仕様および前記情報に少なくとも部分的に基づいて、前記リソース内の制御データの位置を区別し、
前記位置に少なくとも部分的に基づいて、前記リソースによって受信された前記信号の部分から前記制御データを復号する
ように構成された少なくとも１つのプロセッサと、
前記少なくとも１つのプロセッサに接続されたメモリと
を備える無線通信装置。
【請求項１４】
前記情報を受信することは、第２の無線ネットワーク仕様に応じた前記情報を決定することを含む、請求項１３に記載の無線通信装置。
【請求項１５】
前記少なくとも１つのプロセッサは、前記アクセス・ポイントから前記情報を受信する、請求項１３に記載の無線通信装置。
【請求項１６】
装置であって、
非制御データの通信のために第１のネットワーク仕様において定義されたリソースによって、アクセス・ポイントから信号を受信する手段と、ここで、前記信号を受信する手段は、前記リソース内の制御領域に関連する情報を前記アクセス・ポイントから受信し、前記情報を受信することは、前記制御領域の多重化スキームを受信することを含む、
前記情報に少なくとも部分的に基づいて、前記信号において制御データが受信された前記リソースの部分を位置決めする手段と、
前記リソースの前記部分から前記制御データを復号する手段と
を備える装置。
【請求項１７】
前記リソースの部分を位置決めする手段は、第２の無線ネットワーク仕様に少なくとも部分的に基づいて前記リソースの前記部分を位置決めする、請求項１６に記載の装置。
【請求項１８】
前記信号を受信する手段は、前記アクセス・ポイントから位置決め情報を受信し、前記リソースの部分を位置決めする手段は、前記受信した位置決め情報に少なくとも部分的に基づいて前記リソースの前記部分を位置決めする、請求項１６に記載の装置。
【請求項１９】
コンピュータ読取可能記録媒体であって、
少なくとも１つのコンピュータに、第１のネットワーク仕様における非制御データの通信のために確保されたリソースによって、アクセス・ポイントから信号を受信させるためのコードと、
前記少なくとも１つのコンピュータに、前記リソース内で定義された制御領域に関連する情報を受信させるためのコードと、ここで、前記情報を受信させることは、前記制御領域の多重化スキームを受信させることを含む、
前記少なくとも１つのコンピュータに、前記情報に少なくとも部分的に基づいて前記リソース内の制御データの位置を決定させるためのコードと、
前記少なくとも１つのコンピュータに、前記リソース内の前記位置において受信された前記信号の部分から制御データを復号させるためのコードと
を記録した、コンピュータ読取可能記録媒体。
【請求項２０】
前記少なくとも１つのコンピュータに前記情報を受信させるためのコードは、第２の無線ネットワーク仕様に応じた前記情報を決定する、請求項１９に記載のコンピュータ読取可能記録媒体。
【請求項２１】
前記少なくとも１つのコンピュータに前記情報を受信させるためのコードは、前記アクセス・ポイントから前記情報を受信する、請求項１９に記載のコンピュータ読取可能記録媒体。
【請求項２２】
装置であって、
非制御データの通信のために第１のネットワーク仕様において定義されたリソースによって、アクセス・ポイントから信号を受信する受信構成要素と、ここで、前記受信構成要素はさらに、前記リソース内の制御領域に関連する情報を前記アクセス・ポイントから受信し、前記情報を受信することは、前記制御領域の多重化スキームを受信することを含む、
前記情報に少なくとも部分的に基づいて、前記信号において制御データが受信された前記リソースの部分を位置決めする制御領域決定構成要素と、
前記リソースの前記部分から前記制御データを復号する制御データ復号構成要素と
を備える装置。
【請求項２３】
前記制御領域決定構成要素は、第２の無線ネットワーク仕様に少なくとも部分的に基づいて前記リソースの前記部分を位置決めする、請求項２２に記載の装置。
【請求項２４】
前記受信構成要素は、前記アクセス・ポイントから位置決め情報を取得し、前記制御領域決定構成要素は、前記受信した位置決め情報に少なくとも部分的に基づいて前記リソースの前記部分を位置決めする、請求項２２に記載の装置。
【請求項２５】
方法であって、
第１のネットワーク仕様によって無線ネットワークにおいて通信することと、
前記第１のネットワーク仕様による非制御データの通信のために確保されたリソースにおける制御領域を定義することと、
単一のリソース・ブロックにおいて、制御データを、１または複数の無線デバイスに関連する非制御データと、または異なる制御データと、多重化することと、
前記制御領域において前記制御データを前記１または複数の無線デバイスへ送信することと
を備える方法。
【請求項２６】
前記制御領域に関連する情報を、前記１または複数の無線デバイスへ送信することをさらに備える、請求項２５に記載の方法。
【請求項２７】
前記情報を送信することは、前記制御領域の位置を示すシステム情報ブロック（ＳＩＢ）を送信することを含む、請求項２６に記載の方法。
【請求項２８】
前記情報を送信することは、前記１または複数の無線デバイスに関連する探索空間または制御データの位置を明示的に識別する専用信号を、前記１または複数の無線デバイスへ送信することを含む、請求項２６に記載の方法。
【請求項２９】
前記多重化に関連する多重化スキーム情報を、前記１または複数の無線デバイスへ送信することをさらに備える、請求項２５に記載の方法。
【請求項３０】
隣接するリソース・ブロックにわたって、前記制御データを、前記異なる制御データと多重化することをさらに備える、請求項２５に記載の方法。
【請求項３１】
前記隣接するリソース・ブロックのうちの最後のリソース・ブロックにおいて、非制御データを、前記制御データまたは前記異なる制御データと多重化することをさらに備える、請求項３０に記載の方法。
【請求項３２】
干渉緩和を提供するために、後の制御データ送信のために、周波数ホッピングを実施することをさらに備える、請求項２５に記載の方法。
【請求項３３】
前記第１のネットワーク仕様は、第３世代パートナシップ計画（３ＧＰＰ）ロング・ターム・イボリューション（ＬＴＥ）仕様であり、前記リソースが、物理ダウンリンク共有チャネル（ＰＤＳＣＨ）通信のために確保される、請求項２５に記載の方法。
【請求項３４】
無線通信装置であって、
第１のネットワーク仕様を用いて、無線ネットワーク内の１または複数のレガシー・デバイスと通信し、
前記第１のネットワーク仕様によって非制御データを通信するために割り当てられたリソースにおいて制御データを送信するための制御領域を生成し、
単一のリソース・ブロックにおいて、制御データを、１または複数の無線デバイスに関連する非制御データと、または異なる制御データと、多重化し、
前記制御領域において前記制御データを前記１または複数の無線デバイスへ送信する
ように構成された少なくとも１つのプロセッサと、
前記少なくとも１つのプロセッサに接続されたメモリと
を備える無線通信装置。
【請求項３５】
前記少なくとも１つのプロセッサはさらに、前記制御領域に関連する情報を、前記１または複数の無線デバイスへ送信するように構成された、請求項３４に記載の無線通信装置。
【請求項３６】
装置であって、
第１のネットワーク仕様によって無線ネットワークにおいて通信する手段と、
単一のリソース・ブロックにおいて、制御データを、１または複数の無線デバイスに関連する非制御データと、または異なる制御データと、多重化する手段と、
前記第１のネットワーク仕様における非制御データの通信のために確保されたリソースにおける制御領域を定義する手段と
を備え、前記無線ネットワークにおいて通信する手段は、前記制御領域において前記制御データを前記１または複数の無線デバイスへ送信する、装置。
【請求項３７】
前記制御領域に関連する情報を生成する手段をさらに備え、前記無線ネットワークにおいて通信する手段は、前記情報を前記１または複数の無線デバイスへ送信する、請求項３６に記載の装置。
【請求項３８】
前記情報を生成する手段は、前記リソースにおける前記制御領域の位置を備えるシステム情報ブロック（ＳＩＢ）を生成する、請求項３７に記載の装置。
【請求項３９】
前記情報を生成する手段は、前記１または複数の無線デバイスに関連する制御データの位置を特定する専用信号を、前記１または複数の無線デバイスのために生成する、請求項３７に記載の装置。
【請求項４０】
コンピュータ読取可能記録媒体であって、
少なくとも１つのコンピュータに、第１のネットワーク仕様によって無線ネットワークにおいて通信させるためのコードと、
前記少なくとも１つのコンピュータに、前記第１のネットワーク仕様による非制御データの通信のために確保されたリソースにおける制御領域を定義させるためのコードと、
前記コンピュータに、単一のリソース・ブロックにおいて、制御データを、１または複数の無線デバイスに関連する非制御データと、または異なる制御データと、多重化させるためのコードと、
前記少なくとも１つのコンピュータに、前記制御領域において前記制御データを前記１または複数の無線デバイスへ送信させるためのコードと
を記録した、コンピュータ読取可能記録媒体。
【請求項４１】
前記少なくとも１つのコンピュータに、前記制御領域に関連する情報を前記１または複数の無線デバイスへ送信させるためのコードをさらに記録した、請求項４０に記載のコンピュータ読取可能記録媒体。
【請求項４２】
装置であって、
第１のネットワーク仕様によって無線ネットワークにおいて通信する送信構成要素と、
単一のリソース・ブロックにおいて、制御データを、１または複数の無線デバイスに関連する非制御データと、または異なる制御データと、多重化する多重化構成要素と、
前記第１のネットワーク仕様による非制御データの通信のために確保されたリソースにおける制御領域を生成する制御領域定義構成要素と
を備え、前記送信構成要素は、前記制御領域において前記制御データを前記１または複数の無線デバイスへ提供する、装置。
【請求項４３】
前記制御領域に関連する情報を生成する制御領域インジケーション構成要素をさらに備え、前記送信構成要素は、前記情報を、前記１または複数の無線デバイスに提供する、請求項４２に記載の装置。
【発明の詳細な説明】
【優先権主張】
【０００１】
本願は、２００９年５月４日に出願され「ＬＴＥアドバンスト制御およびデータの多重化」（LTE ADVANCED CONTROL AND DATA MULTIPLEXING）と題された米国仮特許出願６１／１７５，３８８号の利益を主張する。上記出願の全体は、参照によって本明細書に組み込まれる。
【技術分野】
【０００２】
本開示は、一般に、無線通信に関し、さらに詳しくは、レガシー無線通信システムにおいて新たな制御データ領域を定義することに関する。
【背景技術】
【０００３】
無線通信システムは、例えば、音声、データ等のようなさまざまなタイプの通信コンテンツを提供するために広く開発された。一般に、無線通信システムは、利用可能なシステム・リソース（例えば、帯域幅、送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信によって、１または複数のアクセス・ポイント（例えば、基地局、フェムトセル、ピコセル、リレー・ノード等）と通信しうる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００５】
さらに、アクセス・ポイントおよびモバイル・デバイス（および、無線通信システムにおけるその他のデバイス）は、例えば３ＧＰＰ  ＬＴＥのような仕様にしたがって通信しうる。この仕様は、例えば、時間に対する周波数部分によって表されるチャネルのような通信パラメータを定義しうる。チャネルは、一般的なデータ通信のみならず、制御データのためも指定されうる。これは、一般的なデータ・チャネルによる通信品質に関連しうる。ＬＴＥでは、チャネルは、例えば、物理ダウンリンク制御チャネル（ＰＤＣＣＨ）、物理ダウンリンク共有チャネル（ＰＤＳＣＨ）等を含みうる。しかしながら、無線通信技術の進歩により、ＰＤＣＣＨは、制御データを通信するのに十分ではない場合がある。例えば、マルチ・キャリア割当、アドレスされるより多くのデバイス数、新たな動作モード、新たなダウンリンク制御情報（ＤＣＩ）フォーマット等は、関連する制御データを効率的に通信するために、さらなるリソースを必要としうる。
【発明の概要】
【０００６】
以下は、そのような態様の基本的な理解を与えるために、特許請求された主題のさまざまな態様の簡略化された概要を示す。この概要は、考えられるすべての態様の広範囲な概観ではなく、そのような態様の重要要素や決定的要素を特定することも、範囲を線引きすることも意図されていない。その唯一の目的は、後に示されるより詳細な記載に対する前置きとして、開示された対応のいくつかの概念を、簡略化された形式で示すことである。
【０００７】
１または複数の実施形態および対応する開示によれば、レガシー・ネットワーク仕様の一般的なデータ・リソースにおいて、新たな制御データ領域を定義することを容易にすることに関連するさまざまな態様が記載される。例えば、レガシー・ネットワーク仕様は、後に続く一般的なデータ領域を用いて、リソース・ブロック（ＲＢ）の開始における制御データ領域を定義する第３世代パートナシップ計画（３ＧＰＰ）ロング・ターム・イボリューション（ＬＴＥ）仕様でありうる。新たな制御データ領域は、利用可能な制御リソースを拡張するために、一般的なデータ領域内に定義されうる。それに加えて、デバイスに関連する制御データは、別のデバイスに関連する制御データ、または、デバイスまたは別のデバイスに関連する一般的なデータとともに、新たな制御領域内で多重化されうる。このようなフレキシブルな設計や、新たな制御領域を使用することにより、制御データおよび一般的なデータのためのリソースの効率的な使用が可能となる。
【０００８】
関連する態様によれば、レガシー・ネットワーク仕様における一般的なデータ通信のために確保されたリソースによって、アクセス・ポイントから信号を受信することを含む方法が提供される。この方法はさらに、リソース内の制御データの位置を決定することと、リソース内の位置において受信された信号部分から制御データを復号することとを含む。
【０００９】
別の態様は、無線通信装置に関する。無線通信装置は、レガシー・ネットワーク仕様における一般的なデータ通信のために割り当てられたリソースによって、アクセス・ポイントから信号を受信するように構成された少なくとも１つのプロセッサを含みうる。この少なくとも１つのプロセッサはさらに、異なるネットワーク仕様に少なくとも部分的に基づいて、リソース内の制御データの位置を区別し、この位置に少なくとも部分的に基づいて、これらリソースによって受信された信号部分から制御データを復号するように構成される。無線通信装置はまた、少なくとも１つのプロセッサに接続されたメモリをも備える。
【００１０】
また、別の態様は、装置に関する。この装置は、一般的なデータ通信のために、レガシー・ネットワーク仕様において定義されたリソースによって、アクセス・ポイントから信号を受信する手段を含む。この装置はさらに、この信号において、制御データが受信されたリソース部分を位置決めする手段と、リソース部分から制御データを復号する手段とを含む。
【００１１】
また別の態様は、コンピュータ・プログラム製品に関連する。これは、少なくとも１つのコンピュータに対して、レガシー・ネットワーク仕様における一般的なデータ通信のために確保されたリソースによって、アクセス・ポイントから信号を受信させるためのコードを含むコンピュータ読取可能媒体を有しうる。さらに、このコンピュータ読取可能媒体は、少なくとも１つのコンピュータに対して、リソース内の制御データの位置を決定させるためのコードと、少なくとも１つのコンピュータに対して、リソース内の位置において受信された信号部分から制御データを復号させるためのコードとを備えうる。
【００１２】
さらに、追加の態様は、一般的なデータ通信のために、レガシー・ネットワーク仕様において定義されたリソースによって、アクセス・ポイントから信号を受信する受信構成要素を含む装置に関する。この装置はさらに、この信号において、制御データが受信されたリソース部分を位置決めする制御領域決定構成要素と、リソース部分から制御データを復号する制御データ復号構成要素とを含みうる。
【００１３】
さらなる態様によれば、レガシー・ネットワーク仕様にしたがって無線ネットワークにおいて通信することを含む方法が提供される。この方法はさらに、レガシー・ネットワーク仕様における一般的なデータ通信のために確保されたリソースにおける制御領域を定義することと、制御領域における制御データを１または複数の無線デバイスへ送信することとを含む。
【００１４】
別の態様は、無線通信装置に関する。この無線通信装置は、レガシー・ネットワーク仕様を用いて、無線ネットワーク内の１または複数のレガシー・デバイスと通信し、レガシー・ネットワーク仕様にしたがって、通信一般データのために割り当てられたリソースにおける制御データを送信するための制御領域を生成するように構成された少なくとも１つのプロセッサを含みうる。この少なくとも１つのプロセッサはさらに、制御領域における制御データを１または複数の無線デバイスへ送信するように構成されている。無線通信装置はまた、少なくとも１つのプロセッサに接続されたメモリをも備える。
【００１５】
また、別の態様は、装置に関連する。この装置は、レガシー・ネットワーク仕様にしたがって無線ネットワークにおいて通信する手段を含む。この装置はさらに、レガシー・ネットワーク仕様における一般的なデータ通信のために確保されたリソースにおける制御領域を定義する手段を含む。ここで、無線ネットワークにおいて通信する手段は、制御領域における制御データを１または複数の無線デバイスへ送信する。
【００１６】
また別の態様は、コンピュータ・プログラム製品に関連する。これは、少なくとも１つのコンピュータに対して、レガシー・ネットワーク仕様にしたがって無線ネットワークにおいて通信させるためのコードと、少なくとも１つのコンピュータに対して、レガシー・ネットワーク仕様における一般的なデータ通信のために確保されたリソースにおける制御領域を定義させるためのコードとを含むコンピュータ読取可能媒体を有しうる。さらに、このコンピュータ読取可能媒体は、少なくとも１つのコンピュータに対して、制御領域における制御データを１または複数の無線デバイスへ送信させるためのコードをも備えうる。
【００１７】
さらに、さらなる態様は、レガシー・ネットワーク仕様にしたがって無線ネットワークにおいて通信する送信構成要素を含む装置に関する。この装置はさらに、レガシー・ネットワーク仕様における一般的なデータ通信のために確保されたリソースにおける制御領域を生成する制御領域定義構成要素を含みうる。ここで、送信構成要素は、制御領域における制御データを１または複数の無線デバイスへ提供する。
【００１８】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方式のうちの僅かしか示しておらず、記載された実施形態は、このようなすべての態様およびそれらの均等物を含むことが意図されている。
【図面の簡単な説明】
【００１９】
【図１】図１は、レガシー一般データ・リソースにおける新たな制御領域を定義するためのシステムのブロック図である。
【図２】図２は、無線通信環境内における展開のための通信装置の例示である。
【図３】図３は、制御データを定義することと、この制御データを、新たな制御領域で通信することとを有効にする無線通信ネットワークの例を示す。
【図４】図４は、レガシー一般データ・リソースにおいて定義された制御領域を有する通信リソースの一部の例を示す。
【図５】図５は、レガシー・ネットワーク仕様における一般的なデータ通信のために割り当てられたリソースにおいて定義された制御領域を有する通信リソースの一部の例を示す。
【図６】図６は、新たな制御領域で通信を受信する方法の例のフロー図である。
【図７】図７は、制御データを送信するための新たな制御領域を定義する方法の例のフロー図である。
【図８】図８は、新たな制御領域に関して、制御データおよび関連する情報を受信する装置の例のブロック図である。
【図９】図９は、新たな制御領域における新たな制御領域に関する情報とともに、制御データを送信することを容易にする装置の例のブロック図である。
【図１０】図１０は、本明細書に記載された機能のさまざまな態様を実現するために利用されうる無線通信デバイスのブロック図の例である。
【図１１】図１１は、本明細書に記載された機能のさまざまな態様を実現するために利用されうる無線通信デバイスのブロック図の例である。
【図１２】図１２は、本明細書に記載されたさまざまな態様にしたがう無線多元接続通信システムの例を図示する。
【図１３】図１３は、本明細書に記載されたさまざまな態様が機能しうる無線通信システムを図示するブロック図である。
【発明を実施するための形態】
【００２０】
権利主張された主題のさまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００２１】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、集積回路、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２２】
さらに、本明細書では、さまざまな態様が、無線端末および／または基地局に関して記載される。無線端末は、ユーザに音声および／またはデータ接続を提供するデバイスを称しうる。無線端末は、例えばラップトップ・コンピュータまたはデスクトップ・コンピュータのようなコンピュータ・デバイスに接続されるか、あるいは、例えば携帯情報端末（ＰＤＡ）のような自己完結型デバイスでありえる。無線端末はまた、システム、加入者ユニット、加入者局、移動局、モバイル、遠隔局、アクセス・ポイント、遠隔端末、アクセス端末、ユーザ端末、ユーザ・エージェント、ユーザ・デバイス、あるいはユーザ機器（ＵＥ）とも称されうる。無線端末は、加入者局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えば、アクセス・ポイントまたはイボルブド・ノードＢ（ｅＮＢ））は、１または複数のセクタを横切って、無線端末と、エア・インタフェースによって通信するアクセス・ネットワークにおけるデバイスを称しうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００２３】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００２４】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００およびＵＭＢは、「第３世代パートナシップ計画２」（３ＧＰＰ２）からの文書に記載されている。
【００２５】
多くのデバイス、構成要素、モジュール等を含みうるシステムの観点から、さまざまな態様が示されるだろう。さまざまなシステムは、さらなるデバイス、構成要素、モジュール等を含みうるか、および／または、これら図面と関連して説明されるデバイス、構成要素、モジュール等のうちの必ずしもすべてを含まないことが理解および認識されるべきである。これらのアプローチの組み合わせもまた使用されうる。
【００２６】
図面を参照して示すように、図１は、レガシー・ネットワーク仕様における一般的なデータ・リソース（例えば、非制御リソース）において定義された新たな制御領域における制御データを通信することを容易にする無線ネットワーク１００の例を示す。レガシー無線デバイス１０４および無線デバイス１０６と通信するアクセス・ポイント１０２が提供される。アクセス・ポイント１０２は、マクロセル・アクセス・ポイント、フェムトセルまたはピコセル・アクセス・ポイント、別の無線デバイス、その一部、または、無線ネットワークへのアクセスを提供する実質的に任意のデバイスでありうる。それに加えて、レガシー無線通信デバイス１０４および無線デバイス１０６は、モバイル・デバイス、その一部、あるいは、無線ネットワークへのアクセスを受信する実質的に任意のデバイスでありうる。
【００２７】
例によれば、アクセス・ポイント１０２は、例えば３ＧＰＰ  ＬＴＥのようなレガシー・ネットワーク仕様にしたがって、レガシー無線デバイス１０４と通信しうる。例えば、レガシー・ネットワーク仕様は、アクセス・ポイント１０２とレガシー無線デバイス１０４との間で制御データおよび一般的なデータを通信するためのチャネルを定義しうる。これらチャネルは、時間に対する周波数部分を備える。一例において、チャネルは、１または複数のリソース・ブロック（ＲＢ）、またはその一部からなりうる。ＲＢは、例えば、複数の隣接した直交周波数分割多重化（ＯＦＤＭ）シンボルの周波数部分のように、時間部分に対する周波数部分を称しうる。それに加えて、アクセス・ポイント１０２は、新たなネットワーク仕様で、無線デバイス１０６と通信しうる。しかしながら、新たなネットワーク仕様は、マルチ・キャリア割当を取り扱うために制御データを通信するための追加のリソースと、サポート可能なより多くのデバイス数と、新たなダウンリンク制御情報（ＤＣＩ）フォーマットと、特別なデバイス動作モード等を必要としうる。
【００２８】
制御リソースを拡張しながら、レガシー・ネットワーク仕様との下位互換性を維持するために、新たなネットワーク仕様は、例えば、一般的なデータのために定義されたレガシー・ネットワーク仕様のリソースによって制御データを通信しうる。例において、アクセス・ポイント１０２は、新たな制御領域の位置を、システム情報ブロック（ＲＢ）で無線デバイス１０６へ送信しうる。別の例において、アクセス・ポイント１０２は、専用信号を用いて、無線デバイス１０６に関連する新たな制御領域内の制御リソースの特定位置を送信しうる。何れの場合であれ、アクセス・ポイント１０２は、新たな制御領域における制御リソースで制御データを送信しうる。説明するように、制御データは、関連するデータ・チャネルによる一般的なデータ通信のための品質情報に関連しうる。
【００２９】
さらに、アクセス・ポイント１０２は、新たな制御領域内の制御データを、他のデバイスの他の制御データ、無線デバイス１０６、または、アクセス・ポイント１０２からの他のデバイスの一般的なデータ等と多重化しうる。一例では、新たな制御領域は、ＲＢ毎に定義され、もって、一般的なデータ送信が、おのおののＲＢ内の残りのリソースにおいて多重化されるようになる。別の例において、新たな制御領域は、１または複数の隣接したＲＢにおける隣接したリソース要素（例えば、ＲＢの時間部分のようなＲＢの一部）で定義されうる。ここでは、一般的なデータを多重化するために、未使用のリソース要素が使用されうる。上述された概念、および、ここで説明される概念は、それに加えて、または、その代わりに、アップリンク制御通信のために実施されうることが認識されるべきである。
【００３０】
次に図２を参照して、無線通信ネットワークに参加しうる通信装置２００が例示される。この通信装置２００は、例えば、ピア・トゥ・ピア構成におけるモバイル・デバイス、モバイル基地局、リレー・ノード等のように、アクセス・ポイント、その一部、あるいは、無線ネットワークにアクセスを提供しうる実質的に任意のデバイスでありうる。通信装置２００は、レガシー・ネットワーク仕様に関連する情報またはパラメータを受信しうるレガシー・ネットワーク仕様構成要素２０２と、新たなネットワーク仕様にしたがって制御データを送信するために使用されうるレガシー一般データ・リソースを指定しうる制御領域定義構成要素２０４と、新たに定義された制御領域に関連する情報を、１または複数のデバイスへ通信しうる制御領域インジケーション構成要素２０６とを含みうる。
【００３１】
例によれば、レガシー・ネットワーク仕様構成要素２０２は、レガシー・ネットワーク仕様を（例えば、ネットワーク構成要素、ハードコーディング、設定等から）受信しうる。レガシー・ネットワーク仕様は、ネットワーク内のデバイス間で無線データを通信するために、例えばリソースのような通信リソースを定義しうる。例えば、チャネルは、通信フレーム内に多くのＲＢを備えうる。通信フレームは、一例において、期間にわたって隣接するＯＦＤＭシンボルまたは隣接しないＯＦＤＭシンボルの集合として定義されうる。説明するように、ＲＢは、通信フレーム内の集合的なＯＦＤＭシンボルの周波数部分に関連しうる。一例では、レガシー・ネットワーク仕様は、３ＧＰＰ  ＬＴＥ仕様でありうる。ここでは、物理ダウンリンク制御チャネル（ＰＤＣＣＨ）リソースが、通信フレームにおける最初のゼロから３までのＯＦＤＭフレームによって定義される。ここでは、所与のＲＢについて、ＲＢの最初のゼロから３までのシンボル部分が、ＲＢの残りにおいて定義されたデータ・チャネルに関連する制御データのために確保される。
【００３２】
制御領域定義構成要素２０４は、制御領域を拡大することを容易にするために、レガシー・ネットワーク仕様のデータ・リソースにおいて制御データ領域を生成しうる。これは、例えば、ＬＴＥアドバンストのように、マルチ・キャリア通信、アドレスされるより多くのデバイス数、新たなＤＣＩフォーマット、特別な動作モード等を可能とする新たなネットワーク仕様において有用でありうる。一例において、制御領域定義構成要素２０４は、制御データのためのおのおののＲＢの一部、隣接する複数のＲＢ等を確保しうる。制御領域インジケーション構成要素２０６は、新たに定義された制御領域に関連するデータを、無線ネットワーク内のデバイスへ送信しうる。例えば、制御領域インジケーション構成要素２０６は、新たな制御領域を定義するＳＩＢを生成し、ＳＩＢをネットワークにおいてブロードキャストしうる。別の例において、制御領域インジケーション構成要素２０６は、所与のデバイスに関連する制御リソースの特定位置を、専用シグナリングで送信しうる。
【００３３】
図３を参照して、レガシー・ネットワーク仕様の一般的なデータ・リソースにおいて新たな制御領域を定義することを容易にする無線通信装置３００が例示される。アクセス・ポイント１０２は、説明するように、無線ネットワーク・アクセスおよび／またはその一部を提供する（独立して駆動されるデバイスのみならず、例えば、モデムをも含む）実質的に任意のタイプの基地局またはモバイル・デバイスでありうる。それに加えて、無線デバイス１０６は、無線ネットワーク・アクセスを受信する、モバイル・デバイス、他のデバイス、またはその一部でありうる。さらに、システム３００はＭＩＭＯシステムでありうる。および／または、１または複数の無線ネットワーク・システム仕様（例えば、ＥＶ−ＤＯ、３ＧＰＰ、３ＧＰＰ２、３ＧＰＰ  ＬＴＥ、ＷｉＭＡＸ等）に準拠しうる。さらに、一例において、ここでダウンリンク通信に関して記述されている機能はまた、アップリンク通信にも適用されうることが認識される。
【００３４】
アクセス・ポイント１０２は、レガシー・ネットワーク仕様を受信するか、そうでない場合には適用しうるレガシー・ネットワーク仕様構成要素２０２と、レガシー・ネットワーク仕様によって一般的なデータ通信に割り当てられたリソースにおいて新たな制御領域を生成しうる制御領域定義構成要素２０４と、新たな制御領域に関連する情報を、無線ネットワーク内のデバイスへ提供しうる制御領域インジケーション構成要素２０６と、１または複数のデバイスとの通信に関連する制御データを生成しうる制御データ構成要素と、新たな制御領域内の制御データ信号を多重化しうる多重化構成要素３０４と、制御データ信号を１または複数の無線デバイスへ送信しうる送信構成要素３０６とを備えうる。無線デバイス１０６は、新たな制御領域のリソースにおいて、新たな制御領域に関連する情報のみならず、制御データ信号をも受信する受信構成要素３０８と、新たな制御領域の位置を区別しうる制御領域決定構成要素３１０と、新たな制御領域で送信された制御データを復号しうる制御データ復号構成要素３１２とを備えうる。
【００３５】
例によれば、レガシー・ネットワーク仕様構成要素２０２は、ハードコーディング、１または複数のネットワーク構成要素等からレガシー・ネットワーク仕様を取得しうる。レガシー・ネットワーク仕様は、説明するように、例えばＰＤＣＣＨやＰＤＳＣＨ等のように、３ＧＰＰ  ＬＴＥネットワーク仕様のための制御チャネルおよび／またはデータ・チャネルに関連するリソースを定義しうる。したがって、このようなチャネルのために利用されうるリソースは、一例において、レガシー・ネットワーク仕様構成要素２０２においてハードコードされ、アクセス・ポイント１０２は、これらリソースを用いて、（図示しない）レガシー無線デバイスへと、チャネルによって適切なデータを通信しうる。制御領域定義構成要素２０４は、新たなネットワーク仕様における制御データ通信に利用されるべき、レガシー・ネットワーク仕様における一般的なデータ通信のために割り当てられたリソースを選択しうる。制御領域インジケーション構成要素２０６は、無線ネットワークにおいて選択されたリソースに関連する情報を、無線ネットワークにおける無線デバイス１０６またはその他のデバイスへ送信しうる。
【００３６】
一例において、制御領域インジケーション構成要素２０６は、制御領域位置を指定するＳＩＢを生成し、送信構成要素３０６を用いて、無線ネットワークにおいてＳＩＢをブロードキャストしうる。別の例において、制御領域インジケーション構成要素２０６は、例えば無線デバイス１０６のように、無線デバイスに関連する制御領域内における制御データの位置を指定する特定の無線デバイスのための専用信号を生成し、送信構成要素３０６が、この専用信号を、無線デバイスへ送信しうる。さらに、例えば、制御領域インジケーション構成要素２０６は、１または複数のリソース・ブロックを指定する無線デバイスのための探索空間と、および／または、無線デバイスのための制御データを備えうるリソース・ブロック内の位置とを定義しうる。さらに、例えば、制御領域定義構成要素２０４は、新たな制御領域における制御データのための周波数ホッピング・パターン（または、１または複数の別の干渉緩和技術）を生成しうる。この例において、制御領域インジケーション構成要素２０６は、送信構成要素３０６で無線デバイス１０６へ送信される通信内に、ホッピング・パターン、または、その他の干渉緩和情報を含めうる。
【００３７】
例において、受信構成要素３０８は、ＳＩＢまたは専用信号を受信し、制御領域決定構成要素３１０は、レガシー一般データ・リソースにおける専用信号にしたがって、新たな制御領域の位置を、ＳＩＢと、または、特定の制御データの位置と区別しうる。別の例において、制御領域決定構成要素３１０は、ネットワーク仕様、１または複数の別のネットワーク構成要素からのプロビジョン、設定等にしたがって、ハードコーディングに基づいて、新たな制御領域の位置を決定しうる。レガシー・リソースが使用されていることにより、レガシー・デバイスは、新たな制御領域をも提供しているアクセス・ポイントによって未だにサポートされうる。制御データ構成要素３０２は、無線デバイス１０６との通信に関連する制御データを生成し、新たな制御領域で定義されたリソース部分（例えば、制御チャネル）において制御データをスケジュールしうる。さらに、周波数ホッピングまたはその他の干渉緩和が利用されている場合、制御データ構成要素３０２は、それにしたがって制御データをスケジュールしうる。多重化構成要素３０４は、説明するように、制御チャネルを、他のデバイスの制御チャネルや、無線デバイス１０６または他のデバイスの一般的なデータ・チャネル等と多重化しうる。
【００３８】
例えば、制御領域定義構成要素２０４は、ＲＢ当たり１つの制御チャネルを割り当て、ＲＢの残りは、一般的なデータ・チャネルに割り当てられうる。この例において、多重化構成要素３０４は、制御チャネルを、関連するデータ・チャネルと多重化しうる。別の例において、制御領域定義構成要素２０４は、ＲＢ毎に複数のチャネルを割り当てうる（例えば、新たな制御領域が、レガシー・ネットワーク仕様の一般的なデータ・リソースにおいて、周波数ではなく時間において満たされうる）。最後の制御チャネルに続く未使用のリソース・ブロック部分は、一般的なデータのために割り当てられうる。この例では、説明するように、多重化構成要素３０４は、完全に使用されているＲＢ内の隣接する制御チャネルを多重化し、未使用部分に割り当てられた任意のデータ・チャネルとともに、最後のＲＢ内の制御チャネルを多重化しうる。送信構成要素３０６は、データおよび／または多重化された制御データを持つ信号を、無線ネットワークで送信し、受信構成要素３０８は、これら信号を受信しうる。
【００３９】
制御領域決定構成要素３１０は、説明するように、新たな制御領域の位置を（例えば、ＳＩＢから）区別し、制御データ復号構成要素３１２は、無線デバイス１０６に関連する制御データに遭遇するまで、受信した信号から制御データをブラインド復号しうる。別の例では、ＳＩＢは、多重化情報を特定しうる。これは、新たな制御領域の制御部分を復号していることを、制御データ復号構成要素３１２が確証するために利用しうる。さらに、例えば、ＳＩＢは、制御データがＲＢの始めにのみ存在するような、新たな制御領域の制御データのフォーマットを示し、制御データ復号構成要素３１２は、新たな制御領域を備えるリソースにおいて制御データを復号するために、このフォーマットに従う。また別の例では、説明するように、制御領域決定構成要素３１０は、専用信号に基づいて、無線デバイス１０６に特有の制御データを位置決めし、制御データ復号構成要素３１２は、この制御データを復号しうる。さらに、周波数ホッピングまたはその他の干渉緩和が存在する場合、制御領域決定構成要素３１０は、ホッピング・パターンまたはその他の干渉緩和情報を、専用信号、ＳＩＢ等から区別し、制御データ復号構成要素３１２は、例えば、向けられた制御データを復号するために、このパターンまたは情報に従いうる。
【００４０】
図４を参照して、無線通信リソース４００の一部が、レガシー・ネットワーク仕様を用いて、無線ネットワーク内の新たな制御領域を提供することと連携して例示されている。特に、リソース４００は、通信フレームを形成する隣接ＯＦＤＭシンボルの集合でありうる。リソース４００は、レガシー・ネットワーク仕様で定義されたレガシー・リソース４０２を含みうる。これは、レガシーＰＤＣＣＨ部分４０４とレガシーＰＤＳＣＨ部分４０６とを含む。しかしながら、レガシー・リソース４０２は、図示するように、新たなリソース４０８を除外するレガシーＰＤＳＣＨ領域４０６を含む。新たなリソース４０８はむしろ、レガシー・リソース４０２の拡張として、新たなネットワーク仕様で定義されうる。新たなリソース４０８は、例えば、制御通信および／またはデータ通信のために割り当てられうる。例において、図示されたレガシー・リソース４０２は、３ＧＰＰ  ＬＴＥに関連しうる。ここでは、レガシーＰＤＣＣＨ４０４は、通信フレームのうちの最初のゼロから３までのＯＦＤＭシンボルとして定義される。そして、レガシーＰＤＣＣＨ４０４におけるＲＢは、レガシーＰＤＳＣＨ領域４０６内の隣接ＲＢに関連しうる。
【００４１】
本明細書に記載されるように、新たなネットワーク仕様にしたがって動作する１または複数のデバイスは、レガシー一般データ・リソース内の新たな制御領域４１０（例えば、レガシー・リソース４０２のレガシー領域４０６部分）を定義しうる。図示するように、例えば、ＰＤＣＣＨ  １  ４１２のリソースは、ＲＢの最初において、新たな制御領域４１０内に割り当てられ、（ＰＤＣＣＨ  １に関連しうる）ＰＤＳＣＨ  １  ４１４のリソースは、ＲＢの最後に部分的に割り当てられうる（その他の部分は、この例では、レガシー・リソース４０２の周波数領域の終わりに割り当てられる）。したがって、ＰＤＣＣＨ  １  ４１２およびＰＤＳＣＨ  １  ４１４で送信されたデータが、多重化されうる。これはさらに、新たな制御領域４１０において示されるその他のＰＤＣＣＨリソースおよびＰＤＳＣＨリソースについても生じうる。説明するように、これらリソースで信号を受信するデバイスは、関連する制御データを取得するために、受信した制御領域の位置に基づいて新たな制御領域４１０をブラインド復号し、受信した制御データ・フォーマット情報にしたがっておのおののＲＢの最初を復号し、受信した専用信号における情報、または、指定された探索空間等に基づいて特定のＰＤＣＣＨを復号しうる。
【００４２】
図５を参照して、無線通信リソースの一部の例が、レガシー・ネットワーク仕様を用いて、無線ネットワークにおいて新たな制御領域を提供することと連携して例示されている。特に、リソース５００は、通信フレームを形成する隣接ＯＦＤＭシンボルの集合でありうる。リソース５００は、レガシー・ネットワーク仕様で定義されたレガシー・リソース４０２を含む。これは、レガシーＰＤＣＣＨ部分４０４とレガシーＰＤＳＣＨ領域４０６とを含む。しかしながら、レガシー・リソース４０２は、図示するように、新たなリソース４０８を除外するレガシーＰＤＳＣＨ領域４０６を含む。新たなリソース４０８はむしろ、レガシー・リソース４０２の拡張として、新たなネットワーク仕様で定義されうる。新たなリソース４０８は、例えば、制御通信および／またはデータ通信のために割り当てられうる。例において、図示されたレガシー・リソース４０２は、３ＧＰＰ  ＬＴＥに関連しうる。ここでは、レガシーＰＤＣＣＨ４０４は、通信フレームのうちの最初のゼロから３までのＯＦＤＭシンボルとして定義される。そして、レガシーＰＤＣＣＨ４０４におけるＲＢは、レガシーＰＤＳＣＨ領域４０６内の隣接ＲＢに関連しうる。
【００４３】
ここで説明するように、新たなネットワーク仕様にしたがって動作する１または複数のデバイスは、レガシー一般データ・リソース内の新たな制御領域５０２（例えば、レガシー・リソース４０２のレガシーＰＤＳＣＨ領域４０６部分）を定義しうる。図示するように、例えばＰＤＣＣＨ  １  ４１２のようなＰＤＣＣＨのためのリソースは、隣接ＲＢ内の新たな制御領域５０２内に割り当てられうる（例えば、新たな制御領域５０２は、時間において、次に周波数において満たされる）。新たな制御領域５０２のために使用される最後のＲＢの残りの部分は、ＰＤＳＣＨ  ４  ５０４に割り当てられうる。したがって、ＰＤＣＣＨで送信されたデータは、複数のＲＢによって多重化され、ＰＤＣＣＨ  ４  ５０６は、データ・チャネルＰＤＳＣＨ  ４  ５０４とともに多重化されうる。説明するように、これらリソースで信号を受信するデバイスは、制御データを受信するために、その位置を受信することに基づいて新たな制御領域４１０をブラインド復号し、受信した専用信号における情報等に基づいて特定のＰＤＣＣＨを復号しうる。
【００４４】
図６乃至図７に参照するように、本明細書に記載されたさまざまな態様にしたがって実行されうる方法が例示される。説明の単純化の目的のために、これら方法は、一連の動作として図示および説明されているが、これら方法は、これら動作の順序によって限定されず、いくつかの動作は、１または複数の態様にしたがって、別の順序で、および／または、本明細書で図示および記載されたものとは別の動作と同時に引き起こることが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００４５】
図６を参照して、新たに定義された制御領域で制御データを受信する方法６００が例示される。６０２では、レガシー・ネットワーク仕様における一般的なデータ通信のために定義されたリソースによって、アクセス・ポイントから信号が受信されうる。説明するように、一例では、レガシー・ネットワーク仕様は、３ＧＰＰ  ＬＴＥでありうる。また、これらリソースは、ＰＤＳＣＨ通信のために定義されうる。６０４では、リソース内での制御データの位置が決定されうる。例えば、明示的な位置または探索空間が、アクセス・ポイントからの専用信号で受信され、制御領域位置が、ＳＩＢで、または、（例えば、ハードコーディング、設定等から取得された）新たなネットワーク仕様等に基づいて受信されうる。６０６では、リソース内の位置において受信された信号部分から、制御データが復号されうる。制御領域位置が受信された場合、例えば、関連する制御データが復号されるまで、復号がブラインドでなされうる。さらに、例えば、制御データを復号することは、受信した多重化スキーム情報に基づいて、その他の制御データ、その他の一般的なデータ等から制御データを逆多重化することを含みうる。したがって、レガシー通信を中断することなく、制御リソースの効率的な使用を容易にする制御送信のために、レガシー・データ・リソースが使用されうる。
【００４６】
図７に移って、レガシー・ネットワーク一般データ・リソースにおいて新たな制御領域を生成することを容易にする方法７００が例示される。７０２では、無線ネットワークにおけるデバイスを用いて、レガシー・ネットワーク仕様にしたがって通信されうる。一例において、説明するように、レガシー・ネットワーク仕様は、１または複数のネットワーク構成要素から、設定、ハードコード等として受信されうる。７０４では、レガシー・ネットワーク仕様によって、一般的なデータ通信のために割り当てられたリソースにおいて、制御領域が定義されうる。説明するように、新たな制御領域は、一般的なデータ通信リソースのさまざまなリソース・ブロックで多重化されたリソースの集合、あるいは、１または複数のチャネルを含みうる。これによって、より多くの制御リソースが、例えば、マルチ・キャリア・サポート、アドレスされるべきより多くのデバイス数、特別な動作モード、新たなＤＣＩフォーマット等のような無線ネットワークにおける変更をサポートできるようになる。７０６では、制御データが、制御領域で送信されうる。それに加えて、制御データは、リソースを効率的に使用するために、説明するように、他の無線デバイスに関連する制御データ、一般的なデータ等とともに多重化されうる。さらに、前述したように、干渉緩和を容易にするために、ホッピング・パターンにしたがって制御データが送信されうる。
【００４７】
本明細書に記載された１または複数の態様によれば、新たな制御領域を定義する際に利用するリソースの選択、多重化ストラテジまたはホッピング・パターンの決定等に関して推論がなされうることが認識されるであろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４８】
図８を参照して、制御データを備える信号を、新たに定義された制御領域で受信するシステム８００が例示される。例えば、システム８００は、基地局、モバイル・デバイス、または、無線ネットワークにアクセスを提供する他のデバイス内に少なくとも部分的に存在しうる。システム８００は、プロセッサ、ソフトウェア、またはこれらの組み合わせ（例えば、ファームウェア）によって実現される機能を表す機能ブロックでありうる機能ブロックを含むものとして示されることが認識されるべきである。システム８００は、連携して動作しうる電子構成要素の論理グループ８０２を含む。例えば、論理グループ８０２は、一般的なデータ通信のために、レガシー・ネットワーク仕様において定義されたリソースによって、アクセス・ポイントから信号を受信するための電子構成要素８０４を含みうる。例えば、説明したように、レガシー・ネットワーク仕様は、３ＧＰＰ  ＬＴＥ仕様になりえる。ここで、リソースは、ＰＤＳＣＨ送信のために定義される。さらに、論理グループ８０２は、制御データが受信されたリソース部分の、信号における位置を決定するための電子構成要素８０６を備えうる。
【００４９】
例では、説明するように、この位置、制御領域内の特定の制御リソースの位置、探索空間等のようなこれら部分は、新たな制御領域に関して受信された情報に基づいて位置決めされうる。それに加えて、論理グループ８０２は、リソース部分からの制御データを復号するための電子構成要素８０８を含みうる。説明するように、制御領域位置が受信された場合、リソース部分は、関連する制御データに遭遇するまで、ブラインド復号されうる。さらに、例えば、電子構成要素８０４は、受信した信号を、データが復号されうるさまざまな制御チャネルおよび／または一般的なデータ・チャネルへと逆多重化するために使用されうる多重化情報を受信しうる。さらに、例では、このようなリソースの位置が、専用信号で受信される場合、明示的な制御リソースが復号されうる。さらに、システム８００は、電子構成要素８０４、８０６、８０８に関連付けられた機能を実行するための命令群を保持するメモリ８１０を含みうる。メモリ８１０の外側にあるとして示されているが、電子構成要素８０４、８０６、８０８のうちの１または複数は、メモリ８１０内に存在しうることが理解されるべきである。
【００５０】
図９に示すように、レガシー・ネットワーク仕様によって定義される一般的なデータ領域で制御情報を送信するシステム９００が例示される。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、レガシー・ネットワーク仕様にしたがって無線ネットワークにおいて通信するための電子構成要素９０４を含みうる。例えば、電子構成要素９０４は、この仕様にしたがってレガシー無線デバイスと通信しうる。説明するように、この仕様は、制御および一般的なデータを通信するために確保されたリソースを識別しうる。一例では、レガシー・ネットワーク仕様は、ＰＤＳＣＨリソースを定義する３ＧＰＰ  ＬＴＥ仕様でありうる。さらに、論理グループ９０２は、レガシー・ネットワーク仕様における一般的なデータ通信のために確保されたリソースにおける制御領域を定義するための電子構成要素９０６を備えうる。説明するように、前述した例では、制御領域は、利用可能な制御リソースを拡張するためにＰＤＳＣＨリソースにおいて定義され、電子構成要素９０４は、制御領域で制御データを送信しうる。
【００５１】
さらに、論理グループ９０２は、制御領域に関する情報を生成するための電子構成要素９０８を含む。電子構成要素９０４は、制御領域における復号を容易にするために、制御データを受信する１または複数の無線デバイスへ情報を通信しうる。説明するように、この情報は、制御領域の位置、（専用信号で電子構成要素９０４によって送信された）特定の制御リソースの位置等に関連しうる。さらに、論理グループ９０２はまた、制御データを、リソースにおける一般的なデータと多重化するための電子構成要素９１０をも含みうる。説明するように、例えば、リソース・ブロック当たり１つの制御リソースを割り当て、残りを一般的なデータで満たすこと、すべての制御リソースを、隣接するリソース・ブロックに割り当て、残りの空間を一般的なデータで満たすこと等のようなさまざまな多重化スキームが可能である。さらに、システム９００は、電子構成要素９０４、９０６、９０８、９１０に関連付けられた機能を実行するための命令群を保持するメモリ９１２を含みうる。メモリ９１２の外側にあるとして示されているが、電子構成要素９０４、９０６、９０８、９１０のうちの１または複数は、メモリ９１２内に存在しうることが理解されるべきである。
【００５２】
図１０は、本明細書に記載された機能のさまざまな態様を実現するために利用されうるシステム１０００のブロック図である。１つの例において、システム１０００は、基地局またはｅＮＢ１００２を含みうる。例示するように、ｅＮＢ１００２は、１または複数の受信（Ｒｘ）アンテナ１００６によって１または複数のＵＥ１００４から信号（単数または複数）を受信し、１または複数の送信（Ｔｘ）アンテナ１００８によって１または複数のＵＥ（単数または複数）１００４へ送信しうる。さらに、ｅＮＢ１００２は、受信アンテナ（単数または複数）１００６から情報を受け取る受信機１０１０を備えうる。一例において、受信機１０１０は、受信した情報を復調する復調器（Ｄｅｍｏｄ）１０１２と動作可能に関連付けられうる。その後、復調されたシンボルは、プロセッサ１０１４によって分析されうる。プロセッサ１０１４は、符号クラスタ、アクセス端末割当、これらに関連するルックアップ・テーブル、ユニークなスクランブリング・シーケンスに関連する情報、および／または、その他の適切なタイプの情報を格納しうるメモリ１０１６に接続されうる。１つの例において、ｅＮＢ１００２は、方法６００、７００、および／または、その他の類似または適切な方法を実行するためにプロセッサ１０１４を適用しうる。ｅＮＢ１００２はまた、送信機１０２０による送信アンテナ（単数または複数）１００８を介した送信のための信号を多重化する変調器１０１８を含みうる。
【００５３】
図１１は、本明細書に記載された機能のさまざまな態様を実現するために利用されうる別のシステム１１００のブロック図である。一例において、システム１１００は、モバイル端末１１０２を含んでいる。例示されるように、モバイル端末１１０２は、１または複数の基地局１１０４から信号を受信し、１または複数のアンテナ１１０８によって１または複数の基地局１１０４へと送信しうる。それに加えて、モバイル端末１１０２は、アンテナ（単数または複数）１１０８から情報を受信する受信機１１１０を備えうる。一例において、受信機１１１０は、受信した情報を復調する復調器（Ｄｅｍｏｄ）１１１２と動作可能に関連付けられうる。その後、復調されたシンボルは、プロセッサ１１１４によって分析されうる。プロセッサ１１１４は、モバイル端末１１０２に関連するプログラム・コードおよび／またはデータを格納しうるメモリ１１１６へ接続されうる。それに加えて、モバイル端末１１０２は、方法６００、７００、および／またはその他の類似および適切な技術を実行するプロセッサ１１１４を適用しうる。モバイル端末１１０２はまた、説明した機能を有効にするために、前述した図で説明された１または複数の構成要素を適用しうる。一例では、構成要素は、プロセッサ１１１４によって実現されうる。モバイル端末１１０２はまた、アンテナ（単数または複数）１１０８を介した送信機１１２０による送信のために、信号を多重化する変調器１１１８を含みうる。
【００５４】
図１２を参照して、無線多元接続通信システムの例示が、さまざまな態様にしたがって提供される。一例において、アクセス・ポイント１２００（ＡＰ）は、複数のアンテナ・グループを含んでいる。図１２に例示するように、１つのアンテナ・グループは、アンテナ１２０４、１２０６を含み、別のアンテナ・グループは、アンテナ１２０８、１２１０を含み、さらに別のアンテナ・グループは、アンテナ１２１２、１２１４を含みうる。図１２ではおのおののアンテナ・グループについて２つのアンテナしか例示されていないが、おのおののグループについて、それよりも多いか、あるいはそれよりも少ないアンテナが適用されうることが認識されるべきである。別の例において、アクセス端末１２１６は、アンテナ１２１２、１２１４と通信しうる。ここで、アンテナ１２１２、１２１４は、順方向リンク１２２０によってアクセス端末１２１６へ情報を送信し、逆方向リンク１２１８によってアクセス端末１２１６から情報を受信しうる。それに加えて、および／または、その代わりに、アクセス端末１２２２は、アンテナ１２０６、１２０８と通信しうる。ここで、アンテナ１２０６、１２０８は、順方向リンク１２２６でアクセス端末１２２２へ情報を送信し、逆方向リンク１２２４でアクセス端末１２２２から情報を受信する。周波数分割デュプレクス・システムでは、通信リンク１２１８、１２２０、１２２４、１２２６は、通信のために、異なる周波数を利用しうる。例えば、順方向リンク１２２０は、逆方向リンク１２１８によって使用されるものとは異なる周波数を使用しうる。
【００５５】
通信するように指定された領域および／またはアンテナのおのおののグループは、アクセス・ポイントのセクタと称されうる。１つの態様によれば、アクセス・ポイント１２００によってカバーされる領域のセクタ内のアクセス端末へ通信するために、複数のグループが設計されうる。順方向リンク１２２０および順方向リンク１２２６による通信では、アクセス・ポイント１２００の送信アンテナは、別々のアクセス端末１２１６、１２２２のための順方向リンクの信号対雑音比を向上するために、ビームフォーミングを適用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００５６】
例えばアクセス・ポイント１２００のようなアクセス・ポイントは、端末と通信するために使用される固定局でありえる。そして、基地局、ｅＮＢ、アクセス・ネットワーク、および／または、その他の適切な専門用語で称されうる。さらに、例えばアクセス端末１２１６またはアクセス端末１２２２のようなアクセス端末はまた、モバイル端末、ユーザ機器、無線通信デバイス、端末、無線端末、および／または、その他の適切な専門用語で称されうる。
【００５７】
図１３に示すように、本明細書に記載のさまざまな態様が機能しうる無線通信システム１３００の例が提供される。一例において、システム１３００は、送信機システム１３１０および受信機システム１３５０を含む複数入力複数出力（ＭＩＭＯ）システムである。しかしながら、送信機システム１３１０および／または受信機システム１３５０は、複数入力単数出力システムに適用することが可能であり、例えば、（例えば、基地局上の）複数の送信アンテナが、１または複数のシンボル・ストリームを、単一のアンテナ・デバイス（例えば、モバイル局）へ送信しうることが認識されるべきである。さらに、本明細書に記載された送信機システム１３１０および／または受信機システム１３５０の態様は、単一入力単一出力アンテナ・システムとの接続に利用されうることが認識されるべきである。
【００５８】
１つの態様によれば、多くのデータ・ストリームのトラフィック・データが、送信機システム１３１０において、データ・ソース１３１２から送信（ＴＸ）データ・プロセッサ１３１４へ提供される。一例において、その後、おのおののデータ・ストリームが、それぞれの送信アンテナ１３２４を介して送信されうる。それに加えて、ＴＸデータ・プロセッサ１３１４は、符号化されたデータを提供するために、トラフィック・データをフォーマットし、このデータ・ストリームのために選択された特定の符合化スキームに基づいて符号化し、インタリーブする。一例において、おのおののデータ・ストリームの符号化されたデータは、ＯＦＤＭ技術を用いてパイロット・データと多重化されうる。パイロット・データは一例として、既知の方法で処理される既知のデータ・パターンである。さらに、チャネル応答を推定するために、パイロット・データが、受信機システム１３５０において使用されうる。送信機システム１３１０に戻り、おのおののデータ・ストリームについて多重化されたパイロットおよび符合化されたデータは、変調シンボルを提供するために、おのおののデータ・ストリームについて選択された特定の変調スキーム（例えば、ＢＰＳＫ、ＱＰＳＫ、Ｍ−ＰＳＫ、またはＭ−ＱＡＭ）に基づいて変調（例えば、シンボル・マップ）されうる。一例において、おのおののデータ・ストリームのデータ・レート、符号化、および変調は、プロセッサ１３３０によって実行される命令群によって決定されうる。
【００５９】
次に、すべてのデータ・ストリームの変調シンボルが、ＴＸ  ＭＩＭＯプロセッサ１３２０に提供されうる。これはさらに、（例えば、ＯＦＤＭ用の）変調シンボルを処理しうる。ＴＸ  ＭＩＭＯプロセッサ１３２０はその後、ＮＴ個の変調シンボル・ストリームを、ＮＴ個の送信機（ＴＭＴＲ）１３２２ａ乃至１３２２ｔへ提供する。一例において、おのおののトランシーバ１３２２は、１または複数のアナログ信号を提供するために、それぞれのシンボル・ストリームを受信して処理する。おのおののトランシーバ１３２２は、その後さらに、ＭＩＭＯチャネルによる送信に適切な変調信号を提供するために、このアナログ信号を調整（例えば、増幅、フィルタ、およびアップコンバート）する。したがって、トランシーバ１３２２ａ乃至１３２２ｔからのＮＴ個の変調信号が、ＮＴ個のアンテナ１３２４ａ乃至１３２４ｔのそれぞれから送信されうる。
【００６０】
別の態様によれば、受信機システム１３５０において、送信された変調信号がＮＲ個のアンテナ１３５２ａ乃至１３５２ｒによって受信されうる。その後、おのおののアンテナ１３５２からの受信信号が、それぞれのトランシーバ１３５４へ提供される。一例において、おのおののトランシーバ１３５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。その後、ＲＸ  ＭＩＭＯ／データ・プロセッサ１３６０は、ＮＲ個のトランシーバ１３５４からＮＲ個のシンボル・ストリームを受信し、受信されたこれらシンボル・ストリームを、特定の受信機処理技術に基づいて処理して、ＮＴ個の「検出された」シンボル・ストリームを提供する。一例において、検出されたおのおののシンボル・ストリームは、対応するデータ・ストリームのために送信された変調シンボルの推定値であるシンボルを含みうる。ＲＸ  ＭＩＭＯ／データ・プロセッサ１３６０はその後、検出されたおのおののデータ・ストリームを、復調、デインタリーブ、および復号することに少なくとも部分的に基づいて、おのおののデータ・ストリームを処理し、対応するデータ・ストリームのためのトラフィック・データが復元される。したがって、ＲＸ  ＭＩＭＯ／データ・プロセッサ１３６０による処理は、送信機システム１３１０におけるＴＸ  ＭＩＭＯプロセッサ１３２０およびＴＸデータ・プロセッサ１３１６によって実行されたものに対して相補的でありうる。ＲＸ  ＭＩＭＯ／データ・プロセッサ１３６０は、さらに、処理されたシンボル・ストリームを、データ・シンク１３６４へ提供しうる。
【００６１】
１つの態様によれば、受信機における空間／時間処理の実行、電力レベルの調節、変調レートまたはスキームの変更、および／または、その他の適切な動作のために、ＲＸ  ＭＩＭＯ／データ・プロセッサ１３６０によって生成されたチャネル応答推定値が使用されうる。それに加えて、ＲＸ  ＭＩＭＯ／データ・プロセッサ１３６０はさらに、例えば、検出されたシンボル・ストリームの信号対雑音および干渉比（ＳＮＲ）のようなチャネル特性を推定しうる。ＲＸ  ＭＩＭＯ／データ・プロセッサ１３６０はその後、これら推定されたチャネル特性を、プロセッサ１３７０へ提供しうる。一例において、ＲＸプロセッサ１３６０および／またはプロセッサ１３７０はさらに、このシステムのための「動作」ＳＮＲの推定値を導出しうる。プロセッサ１３７０はその後、通信リンクおよび／または受信したデータ・ストリームに関する情報を備えうるチャネル状態情報（ＣＳＩ）を提供しうる。この情報は、例えば、動作中のＳＮＲを含みうる。ＣＳＩはその後、ＴＸデータ・プロセッサ１３１８によって処理され、変調器１３８０によって変調され、トランシーバ１３５４ａ乃至１３５４ｒによって調整され、送信機システム１３１０へ送り戻される。それに加えて、受信機システム１３５０におけるデータ・ソース１３１６が、ＴＸデータ・プロセッサ１３１８によって処理されるべき追加データを提供しうる。
【００６２】
送信機システム１３１０に戻り、受信機システム１３５０からの変調信号はその後、アンテナ１３２４によって受信され、トランシーバ１３２２によって調整され、復調器１３４０によって復調され、ＲＸデータ・プロセッサ１３４２によって処理されて、受信機システム１３５０によってレポートされたＣＳＩが復元される。一例において、レポートされたＣＳＩはその後、プロセッサ１３３０へ提供され、１または複数のデータ・ストリームのために使用されるべき符合化および変調スキームのみならずデータ・レートを決定するために使用されうる。決定された符号化および変調スキームはその後、量子化および／または受信機システム１３５０へのその後の送信のために、トランシーバ１３２２へ提供されうる。それに加えて、および／または、その代わりに、レポートされたＣＳＩは、ＴＸデータ・プロセッサ１３１４およびＴＸ  ＭＩＭＯプロセッサ１３２０のためのさまざまな制御を生成するために、プロセッサ１３３０によって使用されうる。別の例では、ＲＸデータ・プロセッサ１３４２によって処理されたＣＳＩおよび／またはその他の情報が、データ・シンク１３４４へ提供されうる。
【００６３】
一例において、送信機システム１３１０におけるプロセッサ１３３０および受信機システム１３５０におけるプロセッサ１３７０は、それぞれのシステムにおける動作を指示する。さらに、送信機システム１３１０におけるメモリ１３３２と、受信機システム１３５０におけるメモリ１３７２とが、プロセッサ１３３０、１３７０のそれぞれによって使用されるプログラム・コードとデータのためのストレージを提供する。さらに、受信機システム１３５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、および／または、「連続ヌルイング／等値化および干渉除去」受信機処理技術とも称される。「連続ヌルイング／等値化および干渉除去」受信機処理技術は、「連続干渉除去」または「連続除去」受信機処理技術とも称されうる。
【００６４】
本明細書に記載された態様は、ハードウェア、ソフトウェア、ファームウェア、ミドルウェア、マイクロコード、あるいはこれらの任意の組み合わせによって実現されうることが理解されるべきである。システムおよび／または方法が、ソフトウェア、ファームウェア、ミドルウェアまたはマイクロコード、プログラム・コードまたはコード・セグメントで実現される場合、それらは、記憶構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００６５】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６６】
上述したものは、１または複数の態様の一例を含んでいる。もちろん、上述した態様を説明する目的で、構成要素または方法の考えられる全ての組み合わせを記述することは可能ではないが、当業者であれば、さまざまな態様のさらに多くの組み合わせおよび置き換えが可能であることを認識することができる。したがって、記載された態様は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用されている用語である「または」は、「限定しない、または」であると意味される。
なお、以下に、出願当初の特許請求の範囲に記載された発明を付記する。
［発明１］方法であって、
レガシー・ネットワーク仕様における一般的なデータ通信のために確保されたリソースによって、アクセス・ポイントから信号を受信することと、
前記リソース内の制御データの位置を決定することと、
前記リソース内の位置において受信された信号部分から制御データを復号することと
を備える方法。
［発明２］前記リソース内に定義された制御領域に関連する情報を受信することをさらに備え、
前記制御データの位置を決定することは、前記情報に少なくとも部分的に基づく、発明１に記載の方法。
［発明３］前記情報を受信することは、無線ネットワーク仕様にしたがって前記情報を決定することを含む、発明２に記載の方法。
［発明４］前記情報を受信することは、前記アクセス・ポイントから前記情報を受信することを含む、発明２に記載の方法。
［発明５］前記情報を受信することは、前記制御領域の位置を受信することを含む、発明２に記載の方法。
［発明６］前記制御データを復号することは、前記制御領域のうちの１または複数の部分をブラインド復号して、関連する制御データを位置決めすることを含む、発明５に記載の方法。
［発明７］前記情報を受信することは、専用信号で前記情報を受信することを含み、
前記情報は、前記制御データを求める探索空間または特定の位置を備える、発明２に記載の方法。
［発明８］前記情報を受信することは、前記制御領域の多重化スキームを受信することを含む、発明２に記載の方法。
［発明９］前記多重化スキームを受信することは、単一のリソース・ブロックにおいて、制御チャネルに対応する前記制御データが、一般的なデータと多重化されたことを示す前記多重化スキームを受信することを含む、発明８に記載の方法。
［発明１０］前記多重化スキームを受信することは、前記単一のリソース・ブロックにおいて、前記制御データが、前記一般的なデータに先行することを示す前記多重化スキームを受信することを含む、発明９に記載の方法。
［発明１１］前記多重化スキームを受信することは、１または複数のリソース・ブロックにおいて、前記制御データが、異なる制御データと多重化されたことを示す前記多重化スキームを受信することを含む、発明８に記載の方法。
［発明１２］前記多重化スキームを受信することは、前記１または複数のリソース・ブロックの最後のリソース・ブロックにおいて、一般的なデータがさらに、前記制御データまたは異なる制御データと多重化されたことを示す前記多重化スキームを受信することを含む、発明１１に記載の方法。
［発明１３］前記情報を受信することは、前記制御領域の周波数ホッピング・スキームを受信することを含む、発明２に記載の方法。
［発明１４］前記レガシー・ネットワーク仕様は、第３世代パートナシップ計画（３ＧＰＰ）ロング・ターム・イボリューション（ＬＴＥ）仕様であり、前記リソースが、前記３ＧＰＰ  ＬＴＥ仕様における物理ダウンリンク共有チャネル（ＰＤＳＣＨ）のために確保される、発明１に記載の方法。
［発明１５］無線通信装置であって、
レガシー・ネットワーク仕様における一般的なデータ通信のために割り当てられたリソースによって、アクセス・ポイントから信号を受信し、
異なるネットワーク仕様に少なくとも部分的に基づいて、リソース内の制御データの位置を区別し、
前記位置に少なくとも部分的に基づいて、前記リソースによって受信された信号部分から前記制御データを復号する
ように構成された少なくとも１つのプロセッサと、
前記少なくとも１つのプロセッサに接続されたメモリと
を備える無線通信装置。
［発明１６］前記少なくとも１つのプロセッサはさらに、前記リソースにおいて定義された制御領域に関する情報を受信するように構成され、
前記少なくとも１つのプロセッサは、前記情報に少なくとも部分的に基づいて前記制御データの位置を区別する、発明１５に記載の無線通信装置。
［発明１７］前記少なくとも１つのプロセッサは、無線ネットワーク仕様から前記情報を受信する、発明１６に記載の無線通信装置。
［発明１８］前記少なくとも１つのプロセッサは、前記アクセス・ポイントから前記情報を受信する、発明１６に記載の無線通信装置。
［発明１９］装置であって、
一般的なデータ通信のために、レガシー・ネットワーク仕様において定義されたリソースによって、アクセス・ポイントから信号を受信する手段と、
前記信号において、制御データが受信されたリソース部分を位置決めする手段と、
前記リソース部分から前記制御データを復号する手段と
を備える装置。
［発明２０］前記リソース部分を位置決めする手段は、無線ネットワーク仕様に少なくとも部分的に基づいて前記リソース部分を位置決めする、発明１９に記載の装置。
［発明２１］前記信号を受信する手段は、前記アクセス・ポイントから位置決め情報を受信し、
前記リソース部分を位置決めする手段は、前記受信した位置決め情報に少なくとも部分的に基づいて前記リソース部分を位置決めする、発明１９に記載の装置。
［発明２２］前記信号を受信する手段はさらに、前記リソース内の制御領域に関する情報を前記アクセス・ポイントから受信し、
前記リソース部分を位置決めする手段は、前記情報に少なくとも部分的に基づいて位置決めする、発明１９に記載の装置。
［発明２３］コンピュータ読取可能媒体を備えるコンピュータ・プログラム製品であって、
前記コンピュータ読取可能媒体は、
少なくとも１つのコンピュータに対して、レガシー・ネットワーク仕様における一般的なデータ通信のために確保されたリソースによって、アクセス・ポイントから信号を受信させるためのコードと、
前記少なくとも１つのコンピュータに対して、前記リソース内の制御データの位置を決定させるためのコードと、
前記少なくとも１つのコンピュータに対して、前記リソース内の位置において受信された信号部分から制御データを復号させるためのコードと
を備える、コンピュータ・プログラム製品。
［発明２４］前記コンピュータ読取可能媒体はさらに、前記少なくとも１つのコンピュータに対して、前記リソース内で定義された制御領域に関する情報を受信させるためのコードをさらに備え、
前記少なくとも１つのコンピュータに対して、前記制御データの位置を決定させるためのコードは、前記情報に少なくとも部分的に基づいて、前記位置を決定する、発明２３に記載のコンピュータ・プログラム製品。
［発明２５］前記少なくとも１つのコンピュータに対して、前記情報を受信させるためのコードは、無線ネットワーク仕様から前記情報を決定する、発明２３に記載のコンピュータ・プログラム製品。
［発明２６］前記少なくとも１つのコンピュータに対して、前記情報を受信させるためのコードは、前記アクセス・ポイントから前記情報を受信する、発明２４に記載のコンピュータ・プログラム製品。
［発明２７］装置であって、
一般的なデータ通信のために、レガシー・ネットワーク仕様において定義されたリソースによって、アクセス・ポイントから信号を受信する受信構成要素と、
前記信号において、制御データが受信されたリソース部分を位置決めする制御領域決定構成要素と、
前記リソース部分から前記制御データを復号する制御データ復号構成要素と
を備える装置。
［発明２８］前記制御領域決定構成要素は、無線ネットワーク仕様に少なくとも部分的に基づいて前記リソース部分を位置決めする、発明２７に記載の装置。
［発明２９］前記受信構成要素は、前記アクセス・ポイントから位置決め情報を取得し、
前記制御領域決定構成要素は、前記受信した位置決め情報に少なくとも部分的に基づいて前記リソース部分を位置決めする、発明２７に記載の装置。
［発明３０］前記受信構成要素はさらに、前記リソース内の制御領域に関する情報を前記アクセス・ポイントから受信し、
前記制御領域決定構成要素は、前記情報に少なくとも部分的に基づいて前記リソース部分を位置決めする、発明２７に記載の装置。
［発明３１］方法であって、
レガシー・ネットワーク仕様にしたがって無線ネットワークにおいて通信することと、
前記レガシー・ネットワーク仕様における一般的なデータ通信のために確保されたリソースにおける制御領域を定義することと、
前記制御領域における制御データを１または複数の無線デバイスへ送信することと
を備える方法。
［発明３２］前記制御領域に関する情報を、前記１または複数の無線デバイスへ送信することをさらに備える、発明３１に記載の方法。
［発明３３］前記情報を送信することは、前記制御領域の位置を示すシステム情報ブロック（ＳＩＢ）を送信することを含む、発明３２に記載の方法。
［発明３４］前記情報を送信することは、前記１または複数の無線デバイスに関連する探索空間または制御データの位置を明示的に識別する専用信号を、前記１または複数の無線デバイスへ送信することを含む、発明３２に記載の方法。
［発明３５］単一のリソース・ブロックにおいて、前記制御データを、前記１または複数の無線デバイスに関連する一般的なデータ、または、異なる制御データと多重化することをさらに備える、発明３１に記載の方法。
［発明３６］前記多重化に関連する多重化スキーム情報を、前記１または複数の無線デバイスへ送信することをさらに備える、発明３５に記載の方法。
［発明３７］隣接するリソース・ブロックにわたって、前記制御データを、異なる制御データと多重化することをさらに備える、発明３１に記載の方法。
［発明３８］隣接するリソース・ブロックのうちの最後のリソース・ブロックにおいて、一般的なデータを、前記制御データまたは異なる制御データと多重化することをさらに備える、発明３７に記載の方法。
［発明３９］干渉緩和を提供するために、後の制御データ送信のために、周波数ホッピングを実施することをさらに備える、発明３１に記載の方法。
［発明４０］前記レガシー・ネットワーク仕様は、第３世代パートナシップ計画（３ＧＰＰ）ロング・ターム・イボリューション（ＬＴＥ）仕様であり、
前記リソースが、物理ダウンリンク共有チャネル（ＰＤＳＣＨ）通信のために確保される、発明３１に記載の方法。
［発明４１］無線通信装置であって、
レガシー・ネットワーク仕様を用いて、無線ネットワーク内の１または複数のレガシー・デバイスと通信し、
前記レガシー・ネットワーク仕様にしたがって、通信一般データのために割り当てられたリソースにおける制御データを送信するための制御領域を生成し、
前記制御領域における前記制御データを１または複数の無線デバイスへ送信する
ように構成された少なくとも１つのプロセッサと、
前記少なくとも１つのプロセッサに接続されたメモリと
を備える無線通信装置。
［発明４２］前記少なくとも１つのプロセッサはさらに、前記制御領域に関する情報を、前記１または複数の無線デバイスへ送信するように構成された、発明４１に記載の無線通信装置。
［発明４３］装置であって、
レガシー・ネットワーク仕様にしたがって無線ネットワークにおいて通信する手段と、
前記レガシー・ネットワーク仕様における一般的なデータ通信のために確保されたリソースにおける制御領域を定義する手段とを備え、
前記無線ネットワークにおいて通信する手段は、前記制御領域における制御データを１または複数の無線デバイスへ送信する、装置。
［発明４４］前記制御領域に関する情報を生成する手段をさらに備え、
前記無線ネットワークにおいて通信する手段は、前記制御データを１または複数の無線デバイスへ送信する、発明４３に記載の装置。
［発明４５］前記情報を生成する手段は、前記リソースにおける前記制御領域の位置を備えるシステム情報ブロック（ＳＩＢ）を生成する、発明４４に記載の装置。
［発明４６］前記情報を生成する手段は、前記１または複数の無線デバイスに関連する制御データの位置を特定する専用信号を、前記１または複数の無線デバイスのために生成する、発明４４に記載の装置。
［発明４７］コンピュータ読取可能媒体を備えるコンピュータ・プログラム製品であって、
前記コンピュータ読取可能媒体は、
少なくとも１つのコンピュータに対して、レガシー・ネットワーク仕様にしたがって無線ネットワークにおいて通信させるためのコードと、
前記少なくとも１つのコンピュータに対して、前記レガシー・ネットワーク仕様における一般的なデータ通信のために確保されたリソースにおける制御領域を定義させるためのコードと、
前記少なくとも１つのコンピュータに対して、前記制御領域における制御データを１または複数の無線デバイスへ送信させるためのコードと
を備える、コンピュータ・プログラム製品。
［発明４８］前記コンピュータ読取可能媒体はさらに、前記少なくとも１つのコンピュータに対して、前記制御領域に関する情報を前記１または複数の無線デバイスへ送信させるためのコードを備える、発明４７に記載のコンピュータ・プログラム製品。
［発明４９］装置であって、
レガシー・ネットワーク仕様にしたがって無線ネットワークにおいて通信する送信構成要素と、
前記レガシー・ネットワーク仕様における一般的なデータ通信のために確保されたリソースにおける制御領域を生成する制御領域定義構成要素とを備え、
前記送信構成要素は、前記制御領域における制御データを１または複数の無線デバイスへ提供する、装置。
［発明５０］前記制御領域に関する情報を生成する制御領域インジケーション構成要素をさらに備え、
前記送信構成要素は、前記情報を、前記１または複数の無線デバイスに提供する、発明４９に記載の装置。
【図１】
0005485378.tif 000002
【図２】
0005485378.tif 000003
【図３】
0005485378.tif 000004
【図４】
0005485378.tif 000005
【図５】
0005485378.tif 000006
【図６】
0005485378.tif 000007
【図７】
0005485378.tif 000008
【図８】
0005485378.tif 000009
【図９】
0005485378.tif 000010
【図１０】
0005485378.tif 000011
【図１１】
0005485378.tif 000012
【図１２】
0005485378.tif 000013
【図１３】
0005485378.tif 000014